(57)【要約】【課題】定着手段を定着可能温度に到達させる時間を短縮させつつ、更なる省電力効果を図ることができ、しかも、補助電源の寿命を従来よりも延長させる。【解決手段】制御部１０３は、温度検出部８０によって検出された定着ローラ４５０の温度が定着温度に達していない場合に、画像形成部４０でカラー画像が形成されると判別部１０２によって判別されたときは、電気二重層キャパシタ２４から第２定着ヒータ４５２への電力供給を停止し、商用電源７０からの電力で第１定着ヒータ４５１に定着ローラ４５０を加熱させ、画像形成部４０でモノクロ画像が形成されると判別部１０２によって判別されたときには、商用電源７０からの電力で第１定着ヒータ４５１に定着ローラ４５０を加熱させると共に、電気二重層キャパシタ２４からの電力で第２定着ヒータ４５２に定着ローラ４５０を加熱させる。【選択図】図２
2008096912.tif 000002
【特許請求の範囲】
【請求項１】
記録紙上にトナー画像を付与してカラー画像及びモノクロ画像を形成する画像形成手段と、
前記画像形成手段によって記録紙上に形成されたトナー画像を、予め定められた定着温度で当該記録紙に定着させる定着手段と、
前記定着手段の温度を検出する温度検出手段と、
商用電源からの電力が蓄電され、前記定着手段を加熱するために補助的に電力を供給する補助電源と、
商用電源からの電力で前記定着手段を加熱する第１定着ヒータと、前記定着手段を前記補助電源からの電力で加熱する第２定着ヒータとを有し、前記定着手段を加熱する定着ヒータと、
前記画像形成手段によってカラー画像又はモノクロ画像のいずれが画像形成されるかを判別する判別手段と、
前記定着ヒータへの電力供給を制御する制御手段とを備え、
前記制御手段は、前記温度検出手段によって検出された前記定着手段の温度が前記定着温度に達していない場合に、前記画像形成手段でカラー画像が形成されると前記判別手段によって判別されたときは、前記補助電源から前記第２定着ヒータへの電力供給を停止し、前記商用電源からの電力で前記第１定着ヒータに前記定着手段を加熱させ、前記画像形成手段でモノクロ画像が形成されると前記判別手段によって判別されたときには、前記商用電源からの電力で前記第１定着ヒータに前記定着手段を加熱させると共に、前記補助電源からの電力で前記第２定着ヒータに前記定着手段を加熱させる画像形成装置。
【請求項２】
前記制御手段は、前記温度検出手段によって検出された前記定着手段の温度が前記定着温度に達しておらず、前記画像形成手段でカラー画像が形成されることが前記判別手段によって判別された場合であって、キャリブレーション処理を行うときは、前記補助電源から前記第２定着ヒータへの電力供給を停止して、前記商用電源からの電力で前記第１定着ヒータに前記定着手段を加熱させる制御を行う請求項１に記載の画像形成装置。
【請求項３】
ネットワーク接続されたコンピュータからプリントデータを受信する受信手段を更え、
前記画像形成手段は、前記受信手段によって受信されたプリントデータに基づいてカラー画像又はモノクロ画像を形成し、
前記判別手段は、前記受信手段によって受信されたプリントデータがカラー画像形成用データ又はモノクロ画像形成用データのいずれかを検出することによって、前記画像形成手段によってカラー画像又はモノクロ画像のいずれが画像形成されるかを判別する請求項１又は請求項２に記載の画像形成装置。
【請求項４】
ネットワーク接続されたコンピュータから、前記プリントデータと共にこれに付随する制御情報を受信する受信手段を備え、
前記画像形成手段は、前記受信手段によって受信された制御情報に従って、前記プリントデータに基づいたカラー画像又はモノクロ画像を形成し、
前記判別手段は、前記受信手段によって受信された制御情報がカラー画像形成指示又はモノクロ画像形成指示のいずれを含むかによって、前記画像形成手段によってカラー画像又はモノクロ画像のいずれが画像形成されるかを判別する請求項１又は請求項２に記載の画像形成装置。
【請求項５】
原稿画像を読み取る画像読取手段と、
カラー画像形成指示又はモノクロ画像指示がユーザによって入力される指示入力手段とを備え、
前記制御手段が、前記画像読取手段によって読み取られた原稿画像を前記画像形成手段に画像形成させる場合には、前記判別手段は、前記指示入力手段に入力された指示が、カラー画像形成指示又はモノクロ画像形成指示のいずれかを検出することによって、前記画像形成手段によってカラー画像又はモノクロ画像のいずれが画像形成されるかを判別する請求項１乃至請求項３のいずれかに記載の画像形成装置。
【発明の詳細な説明】
【技術分野】
【０００１】
本発明は、画像形成装置に関し、特に、商用電源等の外部電源に加えて補助電源からの電力で定着手段を加熱する定着ヒータへの電力供給制御に関する。
【背景技術】
【０００２】
コピー機等の画像形成装置においては、起動初期時や、定着ヒータへの電力供給を停止した状態でプリントに備えて待機する省エネルギーモード時に、定着ローラを定着可能温度に到達させる時間を短縮するために、商用電源と補助電源（例えば、電気二重層キャパシタ等）の両方を用いて大電流を定着ヒータに流して定着ローラを加熱する画像形成装置がある（下記特許文献１参照）。このような商用電源と補助電源の両方の電力で定着ヒータを駆動する方式の画像形成装置によれば、短時間で定着ローラの温度を上昇させることができ、省エネルギーモード時に定着ローラを低い温度で待機させておくことが可能になるので、省電力効果が得られる。
【特許文献１】特開平１０−２８２８２１号公報
【発明の開示】
【発明が解決しようとする課題】
【０００３】
しかしながら、上記のような画像形成装置では、起動初期時や、省エネルギーモードからの復帰時に定着装置を立ち上げる場合には、常に商用電源と補助電源の両方を用いて大電流を定着ヒータに流して定着ローラを加熱する。そのため、画像形成装置を駆動するための全体的な電力消費では省電力効果が得られるが、起動初期時や、省エネルギーモードからの復帰時に限って見れば、商用電源だけの電力で定着ヒータを駆動するよりも多くの電力が消費されている。また、電気二重層キャパシタ等からなる補助電源を充放電させる回数が多くなるため、補助電源の寿命に悪影響を与えるという問題がある。
【０００４】
本発明は、上記問題点に鑑みてなされたものであり、定着手段を定着可能温度に到達させる時間を短縮させつつ、更なる省電力効果を図ることができ、しかも、補助電源の寿命を従来よりも延ばすことができる画像形成装置を提供することを目的とする。
【課題を解決するための手段】
【０００５】
請求項１に係る発明は、記録紙上にトナー画像を付与してカラー画像及びモノクロ画像を形成する画像形成手段と、
前記画像形成手段によって記録紙上に形成されたトナー画像を、予め定められた定着温度で当該記録紙に定着させる定着手段と、
前記定着手段の温度を検出する温度検出手段と、
商用電源からの電力が蓄電され、前記定着手段を加熱するために補助的に電力を供給する補助電源と、
商用電源からの電力で前記定着手段を加熱する第１定着ヒータと、前記定着手段を前記補助電源からの電力で加熱する第２定着ヒータとを有し、前記定着手段を加熱する定着ヒータと、
前記画像形成手段によってカラー画像又はモノクロ画像のいずれが画像形成されるかを判別する判別手段と、
前記定着ヒータへの電力供給を制御する制御手段とを備え、
前記制御手段は、前記温度検出手段によって検出された前記定着手段の温度が前記定着温度に達していない場合に、前記画像形成手段でカラー画像が形成されると前記判別手段によって判別されたときは、前記補助電源から前記第２定着ヒータへの電力供給を停止し、前記商用電源からの電力で前記第１定着ヒータに前記定着手段を加熱させ、前記画像形成手段でモノクロ画像が形成されると前記判別手段によって判別されたときには、前記商用電源からの電力で前記第１定着ヒータに前記定着手段を加熱させると共に、前記補助電源からの電力で前記第２定着ヒータに前記定着手段を加熱させる画像形成装置である。
【０００６】
この構成では、処理時間が長時間となるキャリブレーション処理を要するカラー画像形成が行われるときは、第１及び第２ヒータの両方により短時間で定着手段を低温状態から立ち上げても、キャリブレーション処理の方が定着手段の立ち上げに要する時間よりも長い場合には、第１及び第２ヒータの両方に電力を供給して短時間で定着手段を立ち上げても無意味になるため、制御手段に、カラー画像形成時には、第２定着ヒータによる定着手段の加熱を行わずに、第１定着ヒータにより定着手段を加熱させるようにしている。これにより、定着手段が定着温度に達するまでの待ち時間を要因としたストレスをユーザに与えることなく、定着手段の立ち上げ時に必要な電力を従来よりは低減でき、また、補助電源の充放電回数の低減により、補助電源の寿命を従来よりも延ばすことができる。一方、キャリブレーション処理が行われないモノクロ画像形成時には、制御手段は、第１及び第２ヒータの両方により短時間で定着手段を立ち上げるので、ユーザに対して、画像形成実行可能な状態を迅速に提供することができる。
【０００７】
請求項２に記載の発明は、請求項１に記載の画像形成装置であって、前記制御手段は、前記温度検出手段によって検出された前記定着手段の温度が前記定着温度に達しておらず、前記画像形成手段でカラー画像が形成されることが前記判別手段によって判別された場合であって、キャリブレーション処理を行うときは、前記補助電源から前記第２定着ヒータへの電力供給を停止して、前記商用電源からの電力で前記第１定着ヒータに前記定着手段を加熱させる制御を行うものである。
【０００８】
これらの構成では、実際にキャリブレーション処理が行われる場合に、制御手段が、商用電源からの電力による第１定着ヒータのみで定着手段を定着温度まで立ち上げるようにし、カラー画像形成時であってもキャリブレーション処理が行われない場合には、第１及び第２定着ヒータの両方により短時間で定着手段を立ち上げるため、短時間での定着手段の立ち上げが有効となる状況を的確に判断して、定着手段の立ち上げを行うことができる。
【０００９】
請求項３に記載の発明は、請求項１又は請求項２に記載の画像形成装置であって、ネットワーク接続されたコンピュータからプリントデータを受信する受信手段を更え、
前記画像形成手段は、前記受信手段によって受信されたプリントデータに基づいてカラー画像又はモノクロ画像を形成し、
前記判別手段は、前記受信手段によって受信されたプリントデータがカラー画像形成用データ又はモノクロ画像形成用データのいずれかを検出することによって、前記画像形成手段によってカラー画像又はモノクロ画像のいずれが画像形成されるかを判別するものである。
【００１０】
この構成では、判別手段が、受信手段によって受信されたプリントデータがカラー画像形成用データ又はモノクロ画像形成用データのいずれかを検出することで、ユーザに対して特別な操作を要求することなく、カラー画像又はモノクロ画像のいずれが画像形成されるかを判別できるようにしている。
【００１１】
請求項４に係る発明は、請求項１又は請求項２に記載の画像形成装置であって、ネットワーク接続されたコンピュータから、前記プリントデータと共にこれに付随する制御情報を受信する受信手段を備え、
前記画像形成手段は、前記受信手段によって受信された制御情報に従って、前記プリントデータに基づいたカラー画像又はモノクロ画像を形成し、
前記判別手段は、前記受信手段によって受信された制御情報がカラー画像形成指示又はモノクロ画像形成指示のいずれを含むかによって、前記画像形成手段によってカラー画像又はモノクロ画像のいずれが画像形成されるかを判別するものである。
【００１２】
この構成では、判別手段が、画像形成手段によってカラー画像又はモノクロ画像のいずれが画像形成されるかを、上記プリントデータと共に受信した制御情報に含まれる画像形成指示に基づいて判別するので、カラー画像又はモノクロ画像のいずれが画像形成されるかを簡単に判別できる。
【００１３】
請求項５に係る発明は、請求項１乃至請求項３のいずれかに記載の画像形成装置であって、原稿画像を読み取る画像読取手段と、
カラー画像形成指示又はモノクロ画像指示がユーザによって入力される指示入力手段とを備え、
前記制御手段が、前記画像読取手段によって読み取られた原稿画像を前記画像形成手段に画像形成させる場合には、前記判別手段は、前記指示入力手段に入力された指示が、カラー画像形成指示又はモノクロ画像形成指示のいずれかを検出することによって、前記画像形成手段によってカラー画像又はモノクロ画像のいずれが画像形成されるかを判別するものである。
【００１４】
この構成によれば、画像読取手段で読み取られた原稿画像が画像形成手段で画像形成される場合には、判別手段が、指示入力手段に入力されたユーザからの指示に基づいて、画像形成手段によってカラー画像又はモノクロ画像のいずれが画像形成されるかを判別するので、当該画像形成装置でコピー動作を行う場合に、カラー画像又はモノクロ画像のいずれが画像形成されるかを簡単に判別できる。
【発明の効果】
【００１５】
請求項１に記載の発明によれば、キャリブレーション処理が行われるカラー画像形成時には、画像形成開始タイミングの迅速化に繋がらない無意味な定着手段の立ち上げを行わずに定着手段の立ち上げ時における消費電力を低減でき、しかも、定着手段が定着温度に達するまでの待ち時間を要因としたストレスをユーザに与えることもない。また、補助電源の充放電回数の低減化により、補助電源の寿命を従来よりも延ばすことができる。その一方、キャリブレーション処理が行われないモノクロ画像形成時には、ユーザに対して、画像形成実行可能な状態を迅速に提供することができる。
【００１６】
請求項２に記載の発明によれば、カラー画像形成時であってもキャリブレーション処理が行われない場合には、第１及び第２定着ヒータの両方により短時間で定着手段を立ち上げることで、短時間での定着手段の立ち上げが有効となる状況を的確に判断して、補助電源の電力を有効に利用した定着手段の立ち上げを行うことができる。
【００１７】
請求項３に記載の発明によれば、ユーザに対して特別な操作を要求することなく、カラー画像又はモノクロ画像のいずれが画像形成されるかを判別できるようにしている。
【００１８】
請求項４に記載の発明によれば、カラー画像又はモノクロ画像のいずれが画像形成されるかを簡単に判別することができる。
【００１９】
請求項５に記載の発明によれば、当該画像形成装置でコピー動作を行う場合に、カラー画像又はモノクロ画像のいずれが画像形成されるかを簡単に判別することができる。
【発明を実施するための最良の形態】
【００２０】
以下、本発明の一実施形態に係る画像形成装置を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された画像読取部５と、画像読取部５の上方に配設された原稿給送部６とを有している。
【００２１】
また、複合機１のフロント部には、操作部（指示入力手段）４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００２２】
画像読取部（画像読取手段）５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１０３（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０３へ出力する。
【００２３】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２４】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等をユーザが載置できるようになっている。
【００２５】
本体部２は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。
【００２６】
画像形成部（画像形成手段）４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着装置（定着手段）４５と、画像形成部４０内の用紙搬送路中に設けられ、記録紙をスタックトレイ３又は排出トレイ４８まで搬送する搬送ローラ４６３，４６４等とを備える。
【００２７】
また、記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路４９に送って画像形成部４０の上流域に再度搬送し、画像形成部４０により他方の面に画像を形成した後、記録紙をスタックトレイ３又は排出トレイ４８に排出する。
【００２８】
図２は、複合機１の概略構成を示すブロック図である。複合機１は、制御ユニット１０、加熱部２０、定着装置４５、操作部４７、画像読取部５、及び画像形成部４０（画像形成部４０には定着装置４５が含まれる）を備えている。
【００２９】
制御ユニット１０は、例えばＣＰＵ、ＲＯＭ、ＲＡＭ、及び専用のハードウェア回路から構成され、複合機１の全体を制御し、モード設定部１０１、判別部１０２、制御部１０３、及び受信部１０４を備える。加熱部２０は、整流回路２１、充電回路２２、ＡＣヒータ駆動回路２３、電気二重層キャパシタ２４、及び放電回路２６を備える。
【００３０】
整流回路２１は、例えばダイオードブリッジ回路及び平滑コンデンサを備え、商用電源７０の電源端子Ｔ１と電源端子Ｔ２との間に接続され、商用電源７０から供給される交流電圧を全波整流し、全波整流した交流電圧を平滑化して直流電圧を生成し、充電回路２２に出力する。
【００３１】
充電回路２２は、例えばＤＣ／ＤＣコンバータから構成され、整流回路２１から出力される直流電圧を、電気二重層キャパシタ２４の充電に適したレベルの直流電圧に昇圧又は降圧し、電気二重層キャパシタ２４を充電する。また、充電回路２２は、モード設定部１０１により複合機１の動作モードが通常動作モードから省電力モードに切り換わる直前等において、電気二重層キャパシタ２４の充電量が不足しているときに、制御部１０３による制御の下、電気二重層キャパシタ２４への充電を開始する。なお、通常動作モードについては後述する。
【００３２】
更に、充電回路２２は、電気二重層キャパシタ２４の端子間電圧を測定し、測定した端子間電圧が、電気二重層キャパシタ２４の残容量が満杯であることを示す所定の満電圧値に到達したとき、電気二重層キャパシタ２４は満充電状態にあると判定とし、整流回路２１からの直流電圧の電気二重層キャパシタ２４への供給を遮断し、電気二重層キャパシタ２４を過充電から保護する。ＡＣヒータ駆動回路２３は、例えばＡＣ／ＡＣコンバータから構成され、電源端子Ｔ１，Ｔ２間に接続され、商用電源７０からの交流電圧を、第１定着ヒータ４５１の駆動に適したレベルの交流電圧に変換して、第１定着ヒータ４５１に出力し、第１定着ヒータ４５１を発熱させる。
【００３３】
電気二重層キャパシタ（補助電源の一例）２４は、充電回路２２から出力される直流電圧によって充電され、充電した電圧を第２定着ヒータ４５２に出力し、第２定着ヒータ４５２を発熱させる。一般に、電気二重層キャパシタ２４は、充放電回数が増大するにつれて内部抵抗が増大する等により、性能が劣化する特性を有する。
【００３４】
放電回路２６は、電気二重層キャパシタ２４の電力（電荷）を放電させる回路であり、例えば定電圧回路から構成され、電気二重層キャパシタ２４から出力される放電電圧から第２定着ヒータ４５２の駆動に適したレベルの定電圧を生成し、第２定着ヒータ４５２に出力する機能を有する。
【００３５】
定着装置４５は、圧ローラ及び熱ローラからなる定着ローラ４５０を備え、この熱ローラを加熱する第１定着ヒータ４５１及び第２定着ヒータ４５２からなる定着ヒータを有している。第１定着ヒータ４５１は、商用電源７０から供給される電力で駆動されるヒータである。第２定着ヒータ４５２は、電気二重層キャパシタ２４の放電により供給される電気二重層キャパシタ２４に蓄電されている電力で駆動されるヒータである。
【００３６】
制御ユニット１０について説明する。モード設定部１０１は、複合機１の動作モードを設定するものであり、当該動作モードとして、通常動作モードと省電力モードとを有している。通常動作モードは、複合機１において画像読取部５が原稿を読み取る、当該読み取った原稿又は受信部１０４でパーソナルコンピュータから受信したプリントデータを画像形成部４０で記録紙に画像形成する等の複合機１での通常動作を可能とするモードである。省電力モードは、定着装置４５において第１定着ヒータ４５１及び第２定着ヒータ４５２による定着ローラ４５０の加熱を中断させた状態としたり、操作部４７における表示部４７３のバックライトを消灯したりする等、複合機１を構成する一部のユニットへの電力供給を遮断することで、上記複合機１での通常動作を制限し、複合機１の電力消費量を通常動作モードの消費量よりも低くするモードである。
【００３７】
モード設定部１０１は、動作モードを通常動作モードに設定しているとき、操作部４７が一定時間、ユーザからの操作指令を受け付けない場合、動作モードを通常動作モードから省電力モードに移行させる。更に、モード設定部１０１は、動作モードを省電力モードに設定しているとき、操作部４７がユーザからの操作指令を受け付けたとき、動作モードを省電力モードから通常動作モードに移行させる。
【００３８】
判別部（判別手段）１０２は、画像形成部４０によってカラー画像又はモノクロ画像のいずれが画像形成されるかを判別するものである。判別部１０２は、例えば、ネットワーク接続されたパーソナルコンピュータから受信部１０４によって受信されたプリントデータが画像形成部４０で画像形成されるプリンタ動作が行われる場合には、当該プリントデータに付随してパーソナルコンピュータから送られてくる制御情報を解析し、この制御情報がカラー画像形成指示又はモノクロ画像形成指示のいずれを含むかによって、画像形成部４０によってカラー画像又はモノクロ画像のいずれが画像形成されるかを判別する。また、判別部１０２は、画像読取部５によって読み取られた原稿画像が画像形成部４０によって画像形成されるコピー動作が行われる場合には、ユーザの操作で操作部４７に入力された指示が、カラー画像形成指示又はモノクロ画像形成指示のいずれかであるかを検出することによって、画像形成部４０によってカラー画像又はモノクロ画像のいずれが画像形成されるかを判別する。
【００３９】
制御部（制御手段）は、複合機１の全体的な動作制御を司るものである。特に、制御部１０３は、モード設定部１０１により複合機１の動作モードが通常動作モードに切り換えられるとき、放電回路２６に放電開始指示を出力し、放電回路２６に電気二重層キャパシタ２４の放電を開始させる。なお、複合機１の主電源が投入されたとき（複合機１の起動初期時）も、モード設定部１０１により通常動作モードとされる。また、制御部１０３は、モード設定部１０１により動作モードが通常動作モードに切り換えられた場合であって、温度検出部８０から得た定着ローラ４５０の温度が、予め定められた定着温度（例えば、180℃）に達していないときは、以下の制御を行う。すなわち、制御部１０３は、この条件となった場合、画像形成部４０でカラー画像が形成されると判別部１０２で判別されたときは、電気二重層キャパシタ２４から第２定着ヒータ４５２への電力供給が放電回路２６によっては行われない状態とし、商用電源からの電力をＡＣヒータ駆動回路２３に供給させて、第１定着ヒータ４５１に定着ローラ４５０を加熱させ、その一方、制御部１０３は、画像形成部４０でモノクロ画像が形成されると判別部１０２によって判別されたときには、商用電源からの電力をＡＣヒータ駆動回路２３に供給させて、第１定着ヒータ４５１に定着ローラ４５０を加熱させると共に、電気二重層キャパシタ２４から第２定着ヒータ４５２への電力供給を放電回路２６に行わせる制御を行う。
【００４０】
受信部（受信手段）１０４は、複合機１にＬＡＮ（Local Area Network）等によりネットワーク接続されたパーソナルコンピュータからプリントデータ及びこれに付随する制御情報（プリントに用いる記録紙のサイズ、両面印刷、カラー又はモノクロの画像形成指示等の情報）を受信する。
【００４１】
温度検出部（温度検出手段）８０は、例えばサーミスタ等からなり、定着装置４５における定着ローラ４５０の温度を検出し、制御部１０３に送出する。
【００４２】
省電力モードから通常動作モードへの移行時における複合機１の第１定着ヒータ４５１及び第２定着ヒータ４５２への電力供給制御の第１実施形態（プリンタ動作時の場合）について説明する。図３は、省電力モードから通常動作モードへの移行時における複合機１の第１定着ヒータ４５１及び第２定着ヒータ４５２への電力供給制御の第１実施形態を示すフローチャートである。
【００４３】
複合機１において、受信部１０４が、ネットワーク接続されたパーソナルコンピュータからプリントデータを受信した場合（Ｓ１でＹＥＳ）、制御部１０３は、モード設定部１０１がこの時点における動作モードを通常動作モード又は省電力モードのいずれに設定しているかを判断する（Ｓ２）。制御部１０３が、複合機１の動作モードが通常動作モードであると判断した場合（Ｓ２でＹＥＳ）、既に定着ローラ４５０は定着温度となっているので第１定着ヒータ４５１のみで定着ローラ４５０を加熱させ、上記受信したプリントデータについて画像形成部４０に画像形成を行わせるという、通常動作モード時における通常通りの動作を行わせる（Ｓ１１）。
【００４４】
一方、制御部１０３が、複合機１の動作モードが省電力モードであると判断した場合（Ｓ２でＮＯ）、モード設定部１０１が動作モードを通常動作モードに切り換える（ＳＳ３）。なお、この時点では、複合機１は、それまで省電力モードとなっていたため、温度検出部８０からは、制御部１０３に、定着ローラ４５０の温度が定着温度よりも低い予め定められた温度を示す温度情報が送られている。そして、判別部１０２が、受信部１０４によって受信された上記プリントデータに付随している制御情報を解析し、当該制御情報にカラー画像形成指示又はモノクロ画像形成指示のいずれが含まれるかを判断することで、画像形成部４０によってカラー画像又はモノクロ画像のいずれが画像形成されるかを判別する（Ｓ４）。
【００４５】
判別部１０２が、当該制御情報にカラー画像形成指示が含まれると判断した場合（Ｓ４で「カラー」）、制御部１０３は、放電回路２６に、電気二重層キャパシタ２４から第２定着ヒータ４５２への電力供給を停止させた状態とさせ、商用電源からの電力をＡＣヒータ駆動回路２３に供給させて第１定着ヒータ４５１に定着ローラ４５０を加熱させる（Ｓ５）。すなわち、この場合、第２定着ヒータ４５２による定着ローラ４５０の加熱は行われない。制御部１０３による当該Ｓ５の電力供給制御は、温度検出部８０から送られてくる定着ローラ４５０の温度情報が、定着ローラ４５０が予め定められた上記定着温度に達したことを示すまで続けられる（Ｓ６でＮＯ）。制御部１０３は、温度検出部８０からの温度情報が上記定着温度を示すに至ると（Ｓ６でＹＥＳ）、画像形成部４０に上記受信したプリントデータの画像形成を行わせる（Ｓ７）。なお、上記プリントデータが当該複合機１に対応したプリンタ言語データで送られてくる場合は、当然、画像処理部（図略）が当該プリンタ言語データを、画像形成部４０で画像形成可能なデータ形式に変換する（カラー及びモノクロ画像形成のいずれも）。
【００４６】
このように制御部１０３が電力供給を制御することで、次のような効果が得られる。すなわち、キャリブレーション処理が必要なカラー画像形成が行われるときは、キャリブレーション処理の終了までに長時間を要することから、第１及び第２ヒータの両方により短時間で定着手段を立ち上げても、まだキャリブレーション処理が終了していないことが多く、第１定着ヒータ４５１及び第２定着ヒータ４５２の両方の加熱による定着装置４５の立ち上げが無意味になる場合がある。しかし、上記電力制御によれば、カラー画像形成を行う場合には、制御部１０３が、第２定着ヒータ４５２による定着ローラ４５０の加熱を行わせずに、第１定着ヒータ４５１により定着ローラ４５０を加熱させるので、定着手段が定着温度に達するまでの待ち時間を要因としたストレスをユーザに与えることなく、定着手段の立ち上げ時に必要な電力を従来よりは低減でき、また、補助電源の充放電回数の低減により、補助電源の寿命を従来よりも延ばすことができる。
【００４７】
また、Ｓ４において、判別部１０２が、当該制御情報にモノクロ画像形成指示が含まれると判断した場合（Ｓ４で「モノクロ」）、制御部１０３は、商用電源からの電力をＡＣヒータ駆動回路２３に供給させて第１定着ヒータ４５１に定着ローラ４５０を加熱させると共に、放電回路２６に電気二重層キャパシタ２４から第２定着ヒータ４５２への電力供給を行わせる（Ｓ８）。この場合も、制御部１０３は、温度検出部８０からの温度情報が上記定着温度を示すに至るまでＳ８の電力制御を行い（Ｓ９でＮＯ）、当該温度情報が上記定着温度を示すに至ると（Ｓ９でＹＥＳ）、画像形成部４０に上記受信したプリントデータの画像形成を行わせる（Ｓ７）。これにより、キャリブレーション処理が行われないモノクロ画像形成時には、ユーザに対して、画像形成実行可能な状態を迅速に提供できる。
【００４８】
次に、省電力モードから通常動作モードへの移行時における複合機１の第１定着ヒータ４５１及び第２定着ヒータ４５２への電力供給制御の第２実施形態（プリンタ動作時の場合の他の実施形態）について説明する。図４は、省電力モードから通常動作モードへの移行時における複合機１の第１定着ヒータ４５１及び第２定着ヒータ４５２への電力供給制御の第２実施形態を示すフローチャートである。なお、図３で示した第１実施形態と同様の処理は、同符号を付して説明を省略する。
【００４９】
上記第１実施形態では、判別部１０２によってカラー画像形成であると判別された場合（図３のＳ４で「カラー」）、制御部１０３は、第２定着ヒータ４５２によっては定着ローラ４５０を加熱させず、第１定着ヒータ４５１のみによって定着ローラ４５０を加熱させているが、第２実施形態では、制御部１０３は、カラー画像形成が行わる場合であっても、キャリブレーション処理が行われる場合でなければ、第１定着ヒータ４５１及び第２定着ヒータ４５２の両方で定着ローラ４５０を加熱させる。
【００５０】
第２実施形態では、Ｓ１乃至Ｓ３の処理後、判別部１０２が、画像形成部４０でカラー画像が画像形成されると判別した場合（Ｓ４で「カラー」）、制御部１０３は、画像形成部４０及び図略のパッチパターン読取センサ等を駆動してキャリブレーション処理を開始して、キャリブレーション処理を行う場合にのみ（Ｓ２１でＹＥＳ，Ｓ２２）、商用電源からの電力をＡＣヒータ駆動回路２３に供給させて第１定着ヒータ４５１のみによる定着ローラ４５０の加熱を行わせる（Ｓ５）。制御部１０３は、当該第１定着ヒータ４５１による定着ローラ４５０の加熱は、定着ローラ４５０が定着温度に達した時点で終了させ（Ｓ６でＹＥＳ）、キャリブレーション処理の終了後に（Ｓ２３でＹＥＳ）、画像形成部４０にプリントデータの画像形成を行わせる（Ｓ７）。なお、キャリブレーション処理の終了タイミングよりも、定着ローラ４５０が定着温度に達するタイミングの方が遅れる場合には、制御部１０３は、定着ローラ４５０が定着温度に達した時点で、画像形成部４０にプリントデータの画像形成を行わせるようにする。
【００５１】
一方、Ｓ４において、判別部１０２が、画像形成部４０によってカラー画像が画像形成されると判別した場合であっても（Ｓ４で「カラー」）、キャリブレーション処理を行わない場合は（Ｓ２１でＮＯ）、制御部１０３は、モノクロ画像形成時と同様に、第１定着ヒータ４５１及び第２定着ヒータ４５２の両方により定着ローラ４５０を加熱させる（Ｓ８）。
【００５２】
この制御では、カラー画像形成を行う場合であってもキャリブレーション処理が行われずに、定着装置４５を短時間で立ち上げることが迅速な画像形成に繋がって有効な作用する場合には、第１定着ヒータ４５１及び第２定着ヒータ４５２の両方により定着ローラ４５０を加熱させるので、短時間での定着装置４５の立ち上げが有効となる状況を的確に判断し、電気二重層キャパシタ２４の電力を無駄に消費することなく定着装置４５を迅速に立ち上げることができる。
【００５３】
次に、省電力モードから通常動作モードへの移行時における複合機１の第１定着ヒータ４５１及び第２定着ヒータ４５２への電力供給制御の第３実施形態（コピー動作時の場合）について説明する。図５は、省電力モードから通常動作モードへの移行時における複合機１の第１定着ヒータ４５１及び第２定着ヒータ４５２への電力供給制御の第３実施形態を示すフローチャートである。なお、図３及び図４で示した第１及び第２実施形態と同様の処理は、同符号を付して説明を省略する。
【００５４】
上記第１及び第２実施形態は、複合機１がプリンタ動作を行う場合における１定着ヒータ４５１及び第２定着ヒータ４５２への電力供給制御が行われるものであるが、第３実施形態には、複合機１でコピー動作を行う場合における１定着ヒータ４５１及び第２定着ヒータ４５２への電力供給制御が行われるものである。
【００５５】
複合機１において、ユーザによる操作で操作部４７にコピー開始指示が入力された場合（Ｓ３１でＹＥＳ）、制御部１０３が、動作モードが省電力モードであると判断すれば（Ｓ２でＮＯ）、モード設定部１０１が動作モードを通常動作モードに切り換える（Ｓ３）。そして、制御部１０３は、画像読取部５に原稿画像の読取を行わせる（Ｓ３２）。続いて、判別部１０２は、上記Ｓ３１でユーザから操作部４７に入力されたコピー開始指示が、カラー画像形成又はモノクロ画像形成のいずれの指示を示すかを判断し（Ｓ３３）、ユーザによって入力された当該コピー開始指示がカラー画像形成指示を示す場合は画像形成部４０によってカラー画像形成が行われると判別し（Ｓ３３で「カラー」）、当該コピー開始指示がモノクロ画像形成指示を示す場合は画像形成部４０によってモノクロ画像形成が行われると判別する（Ｓ３３で「モノクロ」）。
【００５６】
これによれば、複合機１でコピー動作を行う場合に、カラー画像又はモノクロ画像のいずれが画像形成されるかを簡単に判別できる。
【００５７】
なお、本発明は、上記実施形態のものに限定されるものではない。例えば、上記図３及び図４に示したプリンタ動作時における第１定着ヒータ４５１及び第２定着ヒータ４５２への電力供給制御では、判別部１０２が、パーソナルコンピュータからプリントデータと共に受信する制御情報に基づいて、カラー画像形成又はモノクロ画像形成の別を判別するものとしていたが、制御情報によらずに、受信部１０４が受信したプリントデータ自体を解析し、プリントデータがカラーデータ又はモノクロデータのいずれを示すかに基づいて、カラー画像形成又はモノクロ画像形成の別を判別するものとしてもよい。また、図５に示した電力供給制御では、判別部１０２が、Ｓ３１でユーザから操作部４７に入力されたコピー開始指示が、カラー画像形成又はモノクロ画像形成のいずれの指示を示すかに基づいて、カラー画像形成又はモノクロ画像形成の別を判別するものとしていたが、画像読取部５０によって読み取った原稿画像のデータが、カラーデータ又はモノクロデータのいずれを示すかに基づいて、カラー画像形成又はモノクロ画像形成の別を判別するものとしてもよい。
【００５８】
また、上記実施形態では、補助電源の例として、電気二重層キャパシタ２４を用いて説明しているが、商用電源からの電力を蓄電でき、定着装置４５の加熱用に補助的に電力を供給できる蓄電機構（例えば、キャパシタ、電池、リチウムイオン電池等）であれば、補助電源は他のものでも構わない。
【００５９】
また、本発明に係る画像形成装置は複合機１に限られず、他の画像形成装置であってもよいし、上記図１乃至図５に示した構成及び処理は、本発明の単なる一実施形態に過ぎず、本発明の構成及び処理をこれらに限定するものではない。
【図面の簡単な説明】
【００６０】
【図１】本発明の一実施形態に係る画像形成装置の一例である複合機の内部構成を概略的に示す側面図である。
【図２】複合機の概略構成を示すブロック図である。
【図３】省電力モードから通常動作モードへの移行時における複合機の第１定着ヒータ及び第２定着ヒータへの電力供給制御の第１実施形態を示すフローチャートである。
【図４】省電力モードから通常動作モードへの移行時における複合機の第１定着ヒータ及び第２定着ヒータへの電力供給制御の第２実施形態を示すフローチャートである。
【図５】省電力モードから通常動作モードへの移行時における複合機の第１定着ヒータ及び第２定着ヒータへの電力供給制御の第３実施形態を示すフローチャートである。
【符号の説明】
【００６１】
１        複合機
５        画像読取部
６        原稿給送部
７        定着装置
１０      制御ユニット
１０１    モード設定部
１０２    判別部
１０３    制御部
１０４    受信部
２０      加熱部
２１      整流回路
２２      充電回路
２３      ヒータ駆動回路
２４      電気二重層キャパシタ
２６      放電回路
４０      画像形成部
４５      定着装置
４５０    定着ローラ
４５１    第１定着ヒータ
４５２    第２定着ヒータ
７０      商用電源
８０      温度検出部
【図１】
2008096912.tif 000003
【図２】
2008096912.tif 000004
【図３】
2008096912.tif 000005
【図４】
2008096912.tif 000006
【図５】
2008096912.tif 000007